(57)【特許請求の範囲】
【請求項１】
１，３−プロパンジオールを１５〜７０質量％、及び平均分子量が３，０００〜４０，０００のポリオキシアルキレンポリオールまたはそのアルキルエーテル誘導体を５ 〜４０質量％含有し、該ポリオキシアルキレンポリオールまたはそのアルキルエーテル誘導体におけるポリオキシアルキレン部分がエチレンオキサイドと他のアルキレンオキサイドの共重合体からなり、かつエチレンオキサイドに基づく繰り返し単位／ 他のアルキレンオキサイドに基づく繰り返し単位のモル比が２５／７５〜８０／２０であることを特徴とする水―グリコール系作動液。
【請求項２】
前記ポリオキシアルキレンポリオールまたはそのアルキルエーテル誘導体の平均分子量が５，０００〜３５，０００の範囲である請求項１記載の水―グリコール系作動液。
【請求項３】
前記エチレンオキサイドと他のアルキレンオキサイドの共重合体におけるエチレンオキサイドに基づく繰り返し単位／ 他のアルキレンオキサイドに基づく繰り返し単位のモル比が５０／５０〜８０／２０である請求項１又は２に記載の水―グリコール系作動液。
【発明の詳細な説明】
【技術分野】
【０００１】
本発明は、良好な熱安定性と優れた難燃性を併せ持った含水系潤滑油組成物に関するものである。
【背景技術】
【０００２】
油圧装置は産業界に広く取り入れられ、生産性の向上に貢献している。これらの油圧装置には油圧作動油が動力伝達媒体として使用されているが、高温の熱源付近や電気スパークが生じる機器の近くなどでは、防災への配慮から水―グリコール系作動液を始めとした各種作動油が用いられている。
作動液には、熱やせん断に対して液性状の変化が少なく、長期に亘りその性状を適正な範囲に維持させることが望まれている。
【０００３】
水−グリコール系作動液はその作動油としての性能を維持するため濃縮液の補充等によりｐＨ等を定期的に管理しながら使用することが一般的である。このため、水−グリコール系作動液の使用においては、そのメンテナンス・性能維持に手間、コストを削減することが課題とされ、液の長寿命化による労力の低減が求められている。
【０００４】
含水系潤滑油の性能向上技術としては、例えば、特定構造のポリオキシアルキレングリコールジエーテル化合物、特定構造のポリオキシアルキレングリコールモノエーテル化合物、特定構造のポリオキシプロピレングリコールモノエーテル化合物及び特定構造の脂肪酸塩を含有する含水系作動液組成物（
特許文献１参照） 、グリセロールボレートと塩基との中和生成物を含有する水− グリコール系難燃性作動液（ 特許文献２参照） 、特定構造のアルキル化モルホリンを含有する水−グリコール系難燃性作動液（
特許文献３参照） などが挙げられる。
【先行技術文献】
【特許文献】
【０００５】
【特許文献１】特許第３２３３４９０ 号公報
【特許文献２】特許第２６４６３０８号公報
【特許文献３】特開２００７−３９５６９号公報
【発明の概要】
【発明が解決しようとする課題】
【０００６】
本発明は、上記従来技術の状況に鑑みてなされたものであり、含水系潤滑油の長期の使用に亘り、熱劣化による酸生成を抑制することによってｐＨの低下の少ない優れた熱安定性を有する含水系潤滑油組成物を提供するものである。
【課題を解決するための手段】
【０００７】
本発明者は、上記課題を解決するために鋭意研究を行った結果、特定構造のグリコールを特定量含ませ、さらに特定のポリオキシアルキレンポリオールまたはそのアルキルエーテル誘導体を特定量含ませることにより、水―グリコール系作動液の耐熱性が向上することを見出し、本発明を完成するに至った。
すなわち、本発明は、一般式（１）で表される１，３−プロパンジオールを１５〜７０質量％、及び平均分子量が３，０００〜４０，０００のポリオキシアルキレンポリオールまたはそのアルキルエーテル誘導体を５ 〜４０質量％含有し、該ポリオキシアルキレンポリオールまたはそのアルキルエーテル誘導体におけるポリオキシアルキレン部分がエチレンオキサイドと他のアルキレンオキサイドの共重合体からなり、かつエチレンオキサイドに基づく繰り返し単位／ 他のアルキレンオキサイドに基づく繰り返し単位のモル比が２５／７５〜８０／２０であることを特徴とする水―グリコール系作動液を提供するものである。
ＨＯ−ＣＨ２−ＣＨ２−ＣＨ２−ＯＨ          （１）
【０００８】
また、本発明は、上記水―グリコール系作動液において、前記ポリオキシアルキレンポリオールまたはそのアルキルエーテル誘導体の平均分子量が５，０００〜３５，０００の範囲である水―グリコール系作動液を提供するものである。
また、本発明は、上記水―グリコール系作動液において、前記エチレンオキサイドと他のアルキレンオキサイドの共重合体におけるエチレンオキサイドに基づく繰り返し単位／
他のアルキレンオキサイドに基づく繰り返し単位のモル比が５０／５０〜８０／２０である水―グリコール系作動液を提供するものである。
【発明の効果】
【０００９】
本発明の水―グリコール系作動液は、熱安定性に優れており、長期の使用に亘り、そのメンテナンスを軽減することができる。
【発明を実施するための形態】
【００１０】
本発明の水―グリコール系作動液に使用される１，３−プロパンジオールは、前記一般式（１）で表わされる化合物である。
１，３−プロパンジオールの含有量は、水―グリコール系作動液全量に対して１５〜７０質量％の範囲で、水―グリコール系作動液が目標とする粘度となるように任意に設定することが好ましい。水―グリコール系作動液の目標とする粘度は、任意に設定できるが、４０℃
動粘度が１５．０ 〜 １１５ｍｍ２／ｓｅｃであることが好ましく、１７．０ 〜 ５０．０ｍｍ２／ｓｅｃであることがさらに好ましく、１７．０〜３０．０ｍｍ２／ｓｅｃであることが特に好ましい。
【００１１】
１，３−プロパンジオールの含有量は、水―グリコール系作動液全量に対して１５〜７０質量％であるが、特に好ましくは２０〜６５質量％である。含有量が１５質量％未満では他の添加剤の溶解性が低下し、耐摩耗性が不足する可能性がある。また、７０質量％を超えた１，３−プロパンジオールを含む場合には含水系潤滑油のメリットである難燃性が十分に発揮されない可能性がある。
【００１２】
上記含有量は、他の添加剤等の含有により、上記範囲において適量が異なるが、本１，３−プロパンジオールを含む水―グリコール系作動液が、“ ＪＩＳ  Ｋ２５１４（ 潤滑油酸化安定度試験方法）”の第６項（回転ボンベ式酸化安定度試験方法）で規定される試験器を用いた安定性試験において、試験前後のｐＨ、ギ酸量、酢酸量などの変化量が少なくなる添加量を選ぶことができる。なお、本試験の試験条件は、例えば、試験液量；８０ｇ、触媒；なし、試験温度；１２０℃、封入酸素圧；６２０ｋＰａ（＠２５℃）、試験時間１８Ｈｒである。
上記試験条件においては例えばｐＨ変化量が、試験前後変化で好ましくは±２．０、特に好ましくは±１．０であり、また、例えば酢酸の増加量が試験後で好ましくは１０ｐｐｍ以下、ギ酸の増加量が好ましくは１８０ｐｐｍ以下、特に好ましくは１００ｐｐｍ以下であるように添加されればよい。
【００１３】
本発明の水―グリコール系作動液は、液中に水分を含む。水の含有量は、水―グリコール系作動液全量に対して１３〜８５質量％が好ましく、２５〜８０質量％が好ましく、特に好ましくは３２〜７５質量％である。含有量が１３質量％未満では水―グリコール系作動液のメリットである難燃性が十分に発揮されない可能性がある。また、８５質量％を超えた水を含む場合には他の添加剤の溶解性が低下し、耐摩耗性が不足する可能性がある。
【００１４】
本発明の水―グリコール系作動液は、増粘剤を含有する。
増粘剤としては、水溶性のポリオキシアルキレンポリオールまたはそのアルキルエーテル誘導体を使用することができる。具体的には、水溶性のＥＯ／プロピレンオキサイド（ＰＯ）共重合体などのＥＯと他のアルキレンオキサイドの共重合体、多価アルコールにＥＯとＰＯとの共重合体又はＥＯと他のアルキレンオキサイド（例えば、１，２−ブチレンオキサイド、テトラヒドロフラン、α−オレフィンオキサイドなどの炭素数４以上のアルキレンオキサイド）との共重合体を付加して得られる化合物、もしくはそれらのアルキルエーテル誘導体が挙げられる。
【００１５】
このアルキルエーテル誘導体中のアルキルエーテル基におけるアルキル基の炭素数は、１〜４が好ましく、１〜３が特に好ましい。炭素数が４を超えた場合、ポリオキシアルキレンポリオールまたはそのアルキルエーテル誘導体の水に対する溶解性が不足する可能性がある。
水溶性のポリオキシアルキレンポリオールまたはそのアルキルエーテル誘導体の具体例としては、ポリオキシアルキレングリコール、ポリオキシアルキレントリオール、ポリオキシアルキレングリコールモノエーテル、ポリオキシアルキレングリコールジエーテル等が挙げられる。
【００１６】
ＥＯと他のアルキレンオキサイドの共重合体、又は多価アルコールへの付加物としてのＥＯと他のアルキレンオキサイドの共重合体は、ＥＯに基づく繰り返し単位／
他のアルキレンオキサイドに基づく繰り返し単位のモル比が２５／７５〜８０／２０であり、５０／５０〜８０／２０であることがより好ましく、６５／３５〜８０／２０であることが特に好ましい。ＥＯのモル比が少な過ぎると含水系作動液組成物への溶解性が不足する場合がある。また、ＥＯと他のアルキレンオキサイドの共重合体の付加様式は、ランダム付加であってもブロック付加であってもよい。また、これらのＥＯと他のアルキレンオキサイドの共重合体において、他のアルキレンオキサイドは、炭素数３〜６のアルキレンオキサイドが好ましく、炭素数３〜４のアルキレンオキサイドがより好ましく、ＰＯが特に好ましい。
【００１７】
水溶性のポリオキシアルキレンポリオールまたはそのアルキルエーテル誘導体の平均分子量は３，０００〜４０，０００の範囲であり、５，０００
〜 ３５，０００の範囲がより好ましい。平均分子量が３，０００より低い場合には、本来の目的である増粘効果が小さく配合量を増やす必要が生じることから、相対的にグリコール類の配合比が少なくなり、系の溶解性が変わるため好ましくない。また、分子量が４０，０００を超えると、増粘剤の熱やせん断に対する安定性が損なわれる恐れがあり、また増粘剤が分解した際の性状変化が大きくなることから好ましくない。
増粘剤の含有量は、水―グリコール系作動液全量に対して５ 〜４０質量％が好ましく、より好ましくは１０〜３０質量％である。
【００１８】
本発明の水―グリコール系作動液においては、通常含水系潤滑油に用いられる成分である潤滑剤、気相および液相防錆剤、アルカリ化剤、金属不活性化剤、ｐＨ調整剤、消泡剤、着色剤および任意の添加剤を必要に応じて、配合することができる。
潤滑剤としては、例えば、ミリスチン酸、パルミチン酸、ラウリン酸、ステアリン酸などの飽和脂肪酸、オレイン酸、リノール酸、リノレン酸などの不飽和脂肪酸、芳香族脂肪酸、ダイマー酸などが挙げられる。これらの脂肪酸は１
種単独で用いても良いし、２ 種以上を混合使用してもよい。
【００１９】
液相または気相防錆剤としては、例えば、モルホリン、アルキル化モルホリン、モノエタノールアミン、ジエタノールアミン、トリエタノールアミン、３ −
アミノ− １ − プロパノール、１ − アミノ− ２ − プロパノール、３ − メトキシプロピルアミン、３ − エトキシプロピルアミン、エチレンジアミン、ジエチレントリアミン、シクロヘキシルアミン、Ｎ -メチルエタノールアミン、Ｎ -メチルジエタノールアミン、Ｎ -エチルエタノールアミン、Ｎ -エチルジエタノールアミン、Ｎ -ｎ -ブチルエタノールアミン、Ｎ -ｎ -ブチルジエタノールアミン、ジメチルエタノールアミン、ジエチルエタノールアミン、ジブチルエタノールアミン、Ｎ - (β -アミノエチル)エタノールアミン、１ ， ４ − ビス（ ２ −
ヒドロキシエチル） イミダゾリン、ヒドロキシエチルピペラジン、２ − メチルピペラジン、２ ， ５ − ジメチルピペラジン、２ ， ６ − ジメチルピペラジンなどの有機アミンおよびその誘導体、カルボン酸アルカリ金属塩などが挙げられる。これらの液相あるいは気相防錆剤は１
種単独で用いても良いし、２種以上を混合使用してもよい。
【００２０】
ｐＨ調整剤としては、上記の気相または液相防錆剤として挙げたものに加え、例えば、水酸化カリウムや水酸化ナトリウム等のアルカリ金属化合物が挙げられる。これらｐ
Ｈ 調整剤の配合により、作動液のｐＨを８〜１１程度に調整することが好ましい。ｐＨが低すぎると液中に存在する潤滑剤の溶解性が不足し、スラッジ化する恐れがある。また、ｐＨが高すぎると水―グリコール系作動液の耐摩耗性能の低下を生じる場合がある。
金属不活性化剤としては、例えば、ベンゾトリアゾール、トリルトリアゾール、５
− メチルベンゾトリアゾール、カルボキシベンゾトリアゾールおよびそれらのアルカリ金属塩又はアミン塩などのベンゾトリアゾール系化合物、メルカプトベンゾチアゾールおよびそのアルカリ金属塩等が挙げられる。
消泡剤としては、例えば、シリコーン系化合物などが、着色剤としては、例えば、アルコール系着色剤、金属系着色剤などが挙げられる。
【実施例】
【００２１】
以下、本発明を実施例により更に具体的に説明をする。なお、本発明は、これらの例によって何ら制限されるものではない。
（作動液の評価）
上記作動液の安定性について、回転ボンベ式酸化安定度試験器を用いて安定性の評価を行った。この試験器は“ ＪＩＳ
Ｋ２５１４（ 潤滑油酸化安定度試験方法）”の第６項に規定されるものである。試験後液のｐＨおよび酢酸、ギ酸の変化により評価を行った。変化量が少ないほど作動液の安定性が優れる。試験条件は下記のとおりである。
【００２２】
試験液量； ８０ｇ
触媒    ； なし
試験温度； １２０℃
封入酸素圧； ６２０ ｋＰａ   （ ＠２５℃ ）
試験時間； １８Ｈｒ
【００２３】
（実施例１〜３）
表１に示された成分を、表１に示された配合量で混合して含水系潤滑油組成物を調製した。その調製された含水系潤滑油組成物を用いて上記試験により、評価した。
（比較例１〜４）
表１に示された成分を、表１に示された配合量で混合して含水系潤滑油組成物を調製した。その調製された含水系潤滑油組成物を用いて上記試験により、評価した。
実施例および比較例に用いた増粘剤はポリオキシエチレン／オキシプロピレングリコールで、ＥＯに基づく繰り返し単位／ＰＯに基づく繰り返し単位のモル比は７５／２５のランダム共重合体、平均分子量が２９，０００のものである。
なお、表１において、水の配合量がバランスと表示されているのは、各成分の配合量の合計量が１００質量％になるように、調整して決定された水の配合量であるという意味である。
【００２４】
【表１】
0005547550.tif 000002
【産業上の利用可能性】
【００２５】
本発明の含水系潤滑油組成物は、水−グリコール系作動液として適用できるが、それ以外に、Ｗ ／ Ｏ エマルション型およびＯ ／ Ｗ エマルション型作動液、圧延油、鍛造油、引抜き油、切削油などにも適用できる。